Podtech/llm-jp-corpus-v4-ja_patent huggingface dataset:
【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
三次元の形をもつ構造を形作るための二次元の織物であって、その織物が次のものを備えることを特徴とする。
（ａ）前記織物の第１の部分
（ｂ）前記第１の部分に関して折ることができる第２の部分
（ｃ）それら第１および第２の両部分を相互に連結する複数の糸
（ｄ）前記第１の部分から前記第２の部分まで通る糸が定める糸経路であり、その糸経路は、経路よりも短く織られた糸部分と、経路よりも長く織られた糸部分とを含み、それにより、前記第１の部分に関して前記第２の部分を折ることに応じて、短く織った糸部分が前記糸経路に沿って長く織った部分を引き締め、折りを補正する
【請求項２】
前記織物は、縦糸および横糸を含み、前記相互に連結する糸が横糸である、請求項１の織物。
【請求項３】
前記織物は平坦に織られ、前記第１および第２の両部分が三次元の形を作るように互いに可動である、請求項１の織物。
【請求項４】
前記第１および第２の両部分が作る前記三次元の形が、π（パイ）の形あるいはＴ形状である、請求項３の織物。
【請求項５】
前記織物は、複合材料を強化するためのプリフォ−ムになっている、請求項４の織物。
【請求項６】
前記織物は、前記第１および第２の両部分に複数の織り層を備え、しかもまた、複数の糸経路は、前記第１および第２の両部分の複数の織り層の異なる層の間にある、請求項１の織物。
【手続補正２】
【補正対象書類名】明細書
【補正対象項目名】０００９
【補正方法】変更
【補正の内容】
【０００９】
この問題を解決する他の方法では、結合領域の全域に高い強度の繊維を加えるという考え方を基礎にしている。すなわち、２つの構成要素の一方を他方に縫い、縫い糸によってそのような強化繊維が結合に加わるようにしている。ＵＳＰ第４，３３１，４９５号がそのような方法の一つを示し、また、ＵＳＰ第４，２５６，７９０号がそれを分割したものである。これらの特許は、繊維層を接着によって結合した第１および第２の複合パネル間の接合について示している。第１のパネルは、一端で二股に分かれ、従来技術のように同一平面上の２つのパネル接触面をもつ。その第１のパネルと第２のパネルとを結合するため、両パネルを通して未硬化のフレキシブルな複合糸を縫い込んでいる。その後、両パネルおよび縫い込んだ糸は、共に硬化、つまり同時に硬化される。
【手続補正３】
【補正対象書類名】明細書
【補正対象項目名】００２１
【補正方法】変更
【補正の内容】
【００２１】
しかし、平坦な織り状態のときと、折った状態のときとに、横糸１２Ａ，１２Ｂ，１２Ｃの長さが同じであるため、折ることに応じて、横糸１２Ｂが短すぎる領域２２，２４でくぼみや波状を生じ、また、横糸１２Ｃが長すぎる領域２６，２８で曲げを生じる。領域２２，２４におけるくぼみや波状は、短すぎる横糸１２Ｂが折りに応じて縦糸１４を下方に引っ張ることにより生じる。また、領域２６，２８においては、横糸１２Ｃが長すぎるため、折りに応じてそれらの横糸１２Ｃが外側に曲がる。以上のことが、好ましくない表面異常を起こし、構成要素の強度およびこわさを減じる。
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
下記化学式
2003049154.tif 000001
（式中、Ａは糖の残基を表し、Ｒはアルキル基を表す。）で表されるハイドロゲル化剤。
【請求項２】
前記Ａが、アルドピラノースの６員環に結合するいずれか一の水酸基の水素を除いた残基を表す請求項１に記載のハイドロゲル化剤。
【請求項３】
前記アルドピラノースがグルコピラノース又はガラクトピラノースである請求項２に記載のハイドロゲル化剤。
【請求項４】
前記Ｒが炭素数が６〜２０の直鎖アルキル基である請求項１〜３のいずれか一項に記載のハイドロゲル化剤。
【請求項５】
請求項１〜４のいずれか一項に記載のハイドロゲル化剤を、１−ブタノール、ｔ−ブタノール、テトラヒドロフラン、クロロホルム、ジクロロメタン、ｎ−ヘキサン、酢酸エチル、ジメチルホルムアミド、ジメチルスルホキシド及び水（微量のメタノールとエタノールを含んでもよい。）から成る群から選択される溶媒と混合し、この混合物を固形分が溶解するまで加熱し、冷却することから成るゲル化方法。
【請求項６】
前記ハイドロゲル化剤と前記溶媒とを、ハイドロゲル化剤の濃度が０．１〜３．０重量％となるように混合する請求項５に記載のゲル化方法。
【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
１以上の異方性着色剤を含むインクジェット印刷用インク。
【請求項２】
前記インクの前記異方性着色剤が、共有結合した２以上の置換基で変性された顔料を含み、前記置換基が前記着色剤の粒子表面上に非ランダムに散在されている、請求項１に記載のインク。
【請求項３】
前記異方性着色剤が、着色剤表面上に２以上の局所領域を有し、前記局所領域の１つは付着された親水性部分を有し、前記局所領域の別のものは付着された疎水性部分を有する、請求項１に記載のインク。
【請求項４】
界面活性剤、共溶媒、緩衝剤、殺生物剤、コロイド、粘度調節剤、及びそれらの混合物から成る群より選択された成分をさらに含む、請求項１に記載のインク。
【請求項５】
前記置換基が親水性部分と疎水性部分を含む、請求項２に記載のインク。
【請求項６】
前記親水性部分がポリアクリレートから選択され、前記疎水性部分がフルオロポリマーから選択される、請求項５に記載のインク。
【請求項７】
前記疎水性部分が、ラテックス、ケイ素含有部分、ポリビニルピロリドン、ポリビニルアルコール、多糖、金属キレート剤、及びそれらの混合物から成る群より選択される、請求項５に記載のインク。
【請求項８】
前記親水性部分が、カルボン酸塩、リン酸塩、スルホン酸塩、アンモニウム、４級アンモニウム、ホスホニウム部分、及びそれらの混合物から成る群より選択される、請求項５に記載のインク。
【請求項９】
ノンインパクトプリンタによってインク調合物が媒体上に適用され、このインクが異方性インク着色剤を含有する、インクジェット印刷方法。
【請求項１０】
前記異方性着色剤が、着色剤表面上に２以上の局所領域を有し、前記局所領域の１つは付着された親水性部分を有し、前記局所領域の別のものは付着された疎水性部分を有する、請求項９に記載の方法。
【請求項１１】
前記インクの前記異方性着色剤が、共有結合された２以上の置換基で変性された顔料を含み、前記置換基が前記着色剤の粒子表面上に非ランダムに散在されており、前記置換基が親水性部分と疎水性部分を含む、請求項９に記載の方法。
【請求項１２】
界面活性剤、共溶媒、緩衝剤、殺生物剤、コロイド、粘度調節剤、及びそれらの混合物から成る群より選択された成分をさらに含む、請求項９に記載の方法。
【請求項１３】
インクジェット印刷用インクの耐水性を改善する方法であって、前記インクを媒体上に印刷するステップを含み、前記インクが異方性着色剤を含み、前記着色剤が着色剤表面上に２以上の局所領域を有し、前記局所領域の１つは付着された親水性部分を有し、前記局所領域の別のものは付着された疎水性部分を有することからなる方法。
【請求項１４】
前記親水性部分がポリアクリレートから選択され、前記疎水性部分がフルオロポリマーから選択される、請求項１３に記載の方法。
【手続補正書】
【提出日】平成16年4月9日(2004.4.9)
【手続補正１】
【補正対象書類名】明細書
【補正対象項目名】請求項６
【補正方法】変更
【補正の内容】
【請求項６】
前記ワニスに含有される反応樹脂の酸価が１０以下である請求項５に記載のエマルションインキ。
【手続補正２】
【補正対象書類名】明細書
【補正対象項目名】請求項１２
【補正方法】変更
【補正の内容】
【請求項１２】
ワニス中に含有される反応樹脂の酸価が１０以下である請求項１１に記載のワニス。
【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
石灰に加えて白華抑制剤を含有する水性塗材であって、白華抑制剤がカルシウムよりもイオン化傾向の小さい金属の酸化物であることを特徴とする石灰含有水性塗材。
【請求項２】
請求項１に記載の石灰含有水性塗材から形成される被膜を有することを特徴とする塗装物。
【請求項３】
石灰とカルシウムよりもイオン化傾向の小さい金属の酸化物を水存在下で共存状態においた塗材を用いて施工することを特徴とする、石灰含有水性塗材の白華現象抑制方法。
【手続補正書】
【提出日】平成16年2月13日(2004.2.13)
【手続補正１】
【補正対象書類名】明細書
【補正対象項目名】請求項６
【補正方法】変更
【補正の内容】
【請求項６】
食器類を洗浄する洗浄水を貯留する貯水槽と、食器類に洗浄水を噴射するノズルアームと、洗浄水を装置外部に排出するための排水路と、液体用モータポンプとを備え、
前記液体用モータポンプは、モータの回転軸にこの回転軸が貫通する隔壁を挟んで設けられた第一インペラ及び第二インペラと、前記第一インペラと第二インペラをそれぞれケーシングで覆うことにより形成された第一ポンプ室及び第二ポンプ室と、前記第一ポンプ室と第二ポンプ室の間で少なくとも気泡の移動を可能とする連通手段と、前記第一ポンプ室に液体を吸い込む第一吸込口と、前記第一ポンプ室から液体を吐出する第一吐出口と、前記第二ポンプ室に液体を吸い込む第二吸込口と、前記第二ポンプ室から液体を吐出する第二吐出口とを有し、前記第一インペラによるポンプ能力と第二インペラによるポンプ能力に差異を有するものであり、
前記第一吸込口と前記第二吸込口が前記貯水槽に接続され、
前記第一吐出口と前記第二吐出口のいずれか一方が前記ノズルアームに、他方が前記排水路に接続されたことを特徴とする食器洗浄機。
【手続補正２】
【補正対象書類名】明細書
【補正対象項目名】００１３
【補正方法】変更
【補正の内容】
【００１３】
また本発明にかかる食器洗浄機は、食器類を洗浄する洗浄水を貯留する貯水槽と、食器類に洗浄水を噴射するノズルアームと、洗浄水を装置外部に排出するための排水路と、液体用モータポンプとを備え、前記液体用モータポンプは、モータの回転軸にこの回転軸が貫通する隔壁を挟んで設けられた第一インペラ及び第二インペラと、前記第一インペラと第二インペラをそれぞれケーシングで覆うことにより形成された第一ポンプ室及び第二ポンプ室と、前記第一ポンプ室と第二ポンプ室の間で少なくとも気泡の移動を可能とする連通手段と、前記第一ポンプ室に液体を吸い込む第一吸込口と、前記第一ポンプ室から液体を吐出する第一吐出口と、前記第二ポンプ室に液体を吸い込む第二吸込口と、前記第二ポンプ室から液体を吐出する第二吐出口とを有し、前記第一インペラによるポンプ能力と第二インペラによるポンプ能力に差異を有するものであり、前記第一吸込口と前記第二吸込口が前記貯水槽に接続され、前記第一吐出口と前記第二吐出口のいずれか一方が前記ノズルアームに、他方が前記排水路に接続されたものである。
【手続補正書】
【提出日】平成16年7月5日(2004.7.5)
【手続補正１】
【補正対象書類名】明細書
【補正対象項目名】０００６
【補正方法】変更
【補正の内容】
【０００６】
本発明にかかる外囲体の固定金具は、左ピースと右ピースが、交差して組み合わされてなるものである。
左右のピースは、天面とアーム面と合わせ面を有している。
それら各面について説明すると、天面の左右からアーム面が外囲体の接合凸部と直交する角度になるように、下方に折り曲げられて形成されており、また、天面の一端からアーム面と直交する角度で下方に延出して合わせ面が形成されている。
前記アーム面の下方には、外囲体の接合凸部が内側に収まる凹部が形成され、凹部より下に、噛み合わせ部が形成されている。
左右のピースを交差させながら組み合わせたとき、交点には軸が設けられており、向かい合う左右のピースの合わせ面には締め付け具が取り付けられ、締め付け具を締め付けることにより、軸を中心に両ピースが回動し、左ピースに設けられた噛み合わせ部と右ピースに設けられた噛み合わせ部とが、向き合って噛み合わせられる構成である。
【手続補正書】
【提出日】平成16年6月15日(2004.6.15)
【手続補正１】
【補正対象書類名】明細書
【補正対象項目名】００１７
【補正方法】変更
【補正の内容】
【００１７】
続いて、上述したハンドル部材２０、スプリング１２、ロックノブ３０およびシャフト４０を仮組みしてハンドルアセンブリ１０を組み立てる手順について図５を参照して説明する。
まず、ハンドル部材２０の各シャフト挿入孔２６，２７間にスプリング１２をセットする。ついで、ハンドル部材２０の係合受部２８にロックノブ３０の係合部３５を係合させてハンドル部材２０とロックノブ３０とを連結する。そして、シャフト４０の軸部４１，４２をロックノブ３０側から挿通孔３３、ハンドル部材２０の各シャフト挿通孔２６，２７およびスプリング１２に差し込む。このとき、シャフト４０の第１係合部４７がロックノブ３０の挿通孔３３の縁部に当接して押し上げられることで腕部４９がロックノブ４０の内側に撓むことになる。その結果、シャフト４０の第１係合部４７がロックノブ３０の挿通孔３３の縁部を乗り越えて挿通孔３３内に侵入し、やがて係合溝３４に係合して図５に示す状態になる。これによりハンドルアセンブリ１０の仮組みが完了する。なお、この仮組み状態では、シャフト先端軸部４１の小突起４５がハンドル部材２０のシャフト挿通孔２６内周面の凹部（図示せず）に嵌り込むため、シャフト４０に対するハンドル部材２０の回動が阻止され、これにより後述するようにハンドルアセンブリ１０をベース部材に組み付ける際にハンドル部材２０が回動しないので組付け作業が容易になる。また、仮組みの順序として、スプリング１２のセットは、シャフト挿入前に行えばよく、ハンドル部材２０とロックノブ３０を連結した後に行ってもよい。
【手続補正書】
【提出日】平成17年4月12日(2005.4.12)
【手続補正１】
【補正対象書類名】明細書
【補正対象項目名】００３７
【補正方法】変更
【補正の内容】
【００３７】
１．安全な透明板ガラスであって、公知のように、建物、自動車および航空機、並びにヘルメットのバイザーなど、多くの分野で求められているもの。
２．フィルム、特にスキーフィルムの製造。
３．ブロー成形品（例えば、米国特許第2964794号公報参照）、例えば１〜５ガロンの水用ボトルの製造。
４．透明シート、特に列車の駅、温室および照明設備などの建物を被覆するためなどの中空の室のシートの製造。
５．光学データ記憶手段の製造。
６．交通信号のハウジングまたは道路標識の製造用。
７．発泡材料の製造用（例えば、ドイツ特許出願公開第AS-1031507号公報参照）。
８．糸やワイヤーの製造用（例えば、ドイツ特許出願公開第AS-1137167号公報および同第A-1785137号公報参照）。
９．照明目的のための特定含量のガラス繊維を有する半透明のプラスチック材料（例えば、ドイツ特許出願公開第A-1554020号公報参照）。
１０．透明な光散乱性成形品の製造のための特定含量の硫酸バリウム、二酸化チタンおよび／または酸化ジルコニウムまたは有機アクリレートゴムポリマーを有する半透明のプラスチック材料として（欧州特許出願公開第A-634445号公報、同第A-269324号公報）。
【手続補正書】
【提出日】平成16年3月11日(2004.3.11)
【手続補正１】
【補正対象書類名】明細書
【補正対象項目名】特許請求の範囲
【補正方法】変更
【補正の内容】
【特許請求の範囲】
【請求項１】
埋め込み配線構造を有する半導体装置の露出配線の表面にコバルト−ボロン合金からなる無電解めっき膜を選択的に形成する無電解めっき液であって、
コバルトイオン、錯化剤を含み、更にアルカリ金属を含まない還元剤を含有することを特徴とする無電解めっき液。
【請求項２】
前記還元剤が、アルキルアミンボランであることを特徴とする請求項１記載の無電解めっき液。
【請求項３】
安定剤としての重金属化合物または硫黄化合物の１種または２種以上、または界面活性剤の少なくとも一方を更に含有することを特徴とする請求項１または２記載の無電解めっき液。
【請求項４】
アルカリ金属を含まないｐＨ調整剤を用いてｐＨを５〜１４に調整したことを特徴とする請求項１乃至３のいずれかに記載の無電解めっき液。
【請求項５】
銅、銅合金、銀または銀合金を配線材料とした埋め込み配線構造を有し、コバルトイオン、錯化剤、及びアルカリ金属を含まない還元剤を含有する無電解めっき液を用いた無電解めっきを施して、露出配線の表面をコバルト−ボロン合金からなる保護膜で選択的に覆ったことを特徴とする半導体装置。
【請求項６】
銅合金、銀または銀合金を配線材料とした埋め込み配線構造を有し、コバルトイオン、錯化剤、高融点金属を含む化合物、及びアルカリ金属を含まない還元剤を含有する無電解めっき液を用いた無電解めっきを施して、露出配線の表面を保護膜で選択的に覆ったことを特徴とする半導体装置。
【請求項７】
前記高融点金属がタングステン及び／またはモリブデンであることを特徴とする請求項６記載の半導体装置。
【請求項８】
前記還元剤が、アルキルアミンボランであることを特徴とする請求項５乃至７のいずれかに記載の半導体装置。
【請求項９】
前記無電解めっき液は、安定剤としての重金属化合物または硫黄化合物の１種または２種以上、または界面活性剤の少なくとも一方を更に含有することを特徴とする請求項５乃至８のいずれかに記載の半導体装置。
【請求項１０】
アルカリ金属を含まないｐＨ調整剤を用いて、前記無電解めっき液のｐＨを５〜１４に調整したことを特徴とする請求項５乃至９のいずれかに記載の半導体装置。
【請求項１１】
埋め込み配線構造を有する半導体装置の露出配線の表面が、コバルト−ボロン合金からなる保護膜で選択的に覆われていることを特徴とする半導体装置。
【請求項１２】
前記保護膜の膜厚は、０．１から５００ｎｍの範囲内にあることを特徴とする請求項１１記載の半導体装置。
【手続補正２】
【補正対象書類名】明細書
【補正対象項目名】０００８
【補正方法】変更
【補正の内容】
【０００８】
【課題を解決するための手段】
上記目的を達成するため、本発明の無電解めっき液は、埋め込み配線構造を有する半導体装置の露出配線の表面にコバルト−ボロン合金からなる無電解めっき膜を選択的に形成する無電解めっき液であって、コバルトイオン、錯化剤を含み、更にアルカリ金属を含まない還元剤を含有することを特徴とする。


【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明の半導体装置は、銅、銅合金、銀または銀合金を配線材料とした埋め込み配線構造を有し、コバルトイオン、錯化剤、及びアルカリ金属を含まない還元剤を含有する無電解めっき液を用いた無電解めっきを施して、露出配線の表面をコバルト−ボロン合金からなる保護膜で選択的に覆ったことを特徴とする。


【手続補正６】
【補正対象書類名】明細書
【補正対象項目名】００１７
【補正方法】変更
【補正の内容】
【００１７】
本発明の他の半導体装置は、埋め込み配線構造を有する半導体装置の露出配線の表面が、コバルト−ボロン合金からなる保護膜で選択的に覆われていることを特徴とする。この金属膜の膜厚は、例えば０．１から５００ｎｍの範囲内にあることが好ましい。


【手続補正７】
【補正対象書類名】明細書
【補正対象項目名】００１８
【補正方法】変更
【補正の内容】
【００１８】
本発明の更に他の半導体装置は、銅合金、銀または銀合金を配線材料とした埋め込み配線構造を有し、コバルトイオン、錯化剤、高融点金属を含む化合物、及びアルカリ金属を含まない還元剤を含有する無電解めっき液を用いた無電解めっきを施して、露出配線の表面を保護膜で選択的に覆ったことを特徴とする。
【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
排ガスとオゾン含有ガスを接触させる反応部、オゾン含有ガスと過酸化水素水の気液混合部及び前記反応部と前記気液混合部との間に位置し、触媒を充填したラジカル生成部を含む排ガス浄化装置。
【請求項２】
触媒が、酸化チタン、酸化亜鉛、二酸化マンガン及び酸化鉄から成る群より選ばれる少なくとも一種である請求項１に記載の排ガス浄化装置。
【請求項３】
ラジカル生成部が、紫外線を照射する紫外線ランプを備えていることを特徴とする請求項１又は２に記載の排ガス浄化装置。
【手続補正２】
【補正対象書類名】明細書
【補正対象項目名】０００５
【補正方法】変更
【補正の内容】
【０００５】
【課題を解決しようとする手段】
本発明の排ガス浄化装置は、排ガスとオゾン含有ガスを接触させる反応部、オゾン含有ガスと過酸化水素水の気液混合部及び前記反応部と前記気液混合部との間に位置し、触媒を充填したラジカル生成部を含む。
【手続補正３】
【補正対象書類名】明細書
【補正対象項目名】０００９
【補正方法】変更
【補正の内容】
【０００９】
【発明の実施の形態】
本発明の排ガス浄化装置は、排ガスとオゾン含有ガスを接触させる反応部、オゾン含有ガスと過酸化水素水の気液混合部及び前記反応部と前記気液混合部との間に位置する触媒を充填したラジカル生成部を含む。また、本発明は、かかる装置を用いて、オゾン発生装置から発生させたオゾン含有ガスと過酸化水素水タンクから吸引した液体を気液混合し、触媒を充填したラジカル生成部を通過させ、排ガスとオゾン含有ガスを接触させることにより、排ガスを浄化する方法も包含する。
【手続補正４】
【補正対象書類名】明細書
【補正対象項目名】００２６
【補正方法】変更
【補正の内容】
【００２６】
【発明の効果】
本発明の第一の態様によれば、排ガスとオゾン含有ガスを接触させる反応部、オゾン含有ガスと過酸化水素水の気液混合部及び前記反応部と前記気液混合部の間に位置し、触媒を充填したラジカル生成部を含む排ガス浄化装置は、オゾン含有ガス及び過酸化水素水の供給量を増加させることなく、触媒によるラジカル種生成効率の向上により、排ガス浄化効率を向上させることができる。
【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
少なくともポリビニリデンフルオライド系樹脂を含む溶液を凝固させて中空糸を得、該中空糸を１．１〜４倍の範囲で延伸し、さらに延伸後の中空糸を弛緩率０．１〜１０％の範囲で弛緩させる中空糸膜の製造方法。
【請求項２】
中空糸の延伸を５０〜１６５℃の温度範囲の熱媒中に２〜３０ｍ／分の範囲の供給速度で供給して行なう請求項１記載の中空糸膜の製造方法。
【請求項３】
熱媒として、水、ポリエチレングルコール、グリセリン、蒸気、空気および窒素から選ばれた１つ以上を用いる請求項２記載の中空糸膜の製造方法。
【請求項４】
凝固に際して、ポリビニリデンフルオライド系樹脂を含む溶液を熱誘起相分離させる請求項１〜３の何れかに記載の中空糸膜の製造方法。
【請求項５】
ポリビニリデンフルオライド系樹脂を含む溶液を溶媒、あるいは６０重量％以上の溶媒を含む水系液からなる、温度５０℃以下の凝固浴に吐出することにより、凝固させる請求項１〜４の何れかに記載の中空糸膜の製造方法。
【請求項６】
弛緩を５０〜１６５℃の温度範囲の熱媒中において緊張下で行なう請求項１〜５の何れかに記載の中空糸膜の製造方法。
【請求項７】
ポリビニリデンフルオライド系樹脂が８５重量％以上のビニリデンフルオライドホモポリマーを有するものである請求項１〜６の何れかに記載の中空糸膜の製造方法。
【請求項８】
少なくともポリビニリデンフルオライド系樹脂を含む溶液を凝固させて中空糸を得、該中空糸を１．１〜４倍の範囲で延伸し、さらに延伸後の中空糸を弛緩率０．１〜１０％の範囲で弛緩させることにより、純水透過量が１．６ｍ3／（ｍ2・ｈ・１００ｋＰａ）以上、引張り強度３．２ＭＮ／ｍ2以上、かつ伸度が５０％以上である中空糸膜を製造する中空糸膜の製造方法であって、前記凝固に際して、ポリビニリデンフルオライド系樹脂を含む溶液を熱誘起相分離させる中空糸膜の製造方法。
【請求項９】
請求項１〜７の何れかに記載の製造方法で製造された中空糸膜であって、純水透過量が１．６ｍ3／（ｍ2・ｈ・１００ｋＰａ）以上、引張り強度３．２ＭＮ／ｍ2以上、かつ伸度が５０％以上である中空糸膜。
【請求項１０】
請求項１〜８の何れかに記載の製造方法で製造された中空糸膜を有してなる浄水用中空糸膜エレメント。
【手続補正書】
【提出日】平成16年6月28日(2004.6.28)
【手続補正１】
【補正対象書類名】明細書
【補正対象項目名】０００２
【補正方法】変更
【補正の内容】
【０００２】
【従来の技術】
近年、写真感光材料に用いられる乳剤等の製造に係る化学工業や医薬品、試薬等の製造に係る医薬品工業の分野では、マイクロミキサー又はマイクロリアクターと呼ばれる微小容器を用いた新しい製造プロセスの開発が進められている。マイクロミキサー及びマイクロリアクターには、その断面を円形に換算した場合の等価直径が数μｍ〜数百μｍ程度の複数本のマイクロチャンネル及び、これらのマイクロチャンネルと繋がる混合空間が設けられており、このマイクロミキサー及びマイクロリアクターでは、複数本のマイクロチャンネルを通して複数の流体をそれぞれ混合空間へ導入することで、複数の溶液を混合し、又は混合と共に化学反応を生じさせる。なお、マイクロミキサーとマイクロリアクターとは基本的な構造が共通とされているが、特に、複数の溶液を混合する際に化学反応を伴うものをマイクロリアクターと言う場合がある。このことから、マイクロミキサーには、マイクロリアクターが含まれるものとして以下の説明を行う。このようなマイクロミキサーとしては、例えば、特表平９−５１２７４２号公報、ＰＣＴ国際公開公報ＷＯ  ００／６２９１３号に開示されているものがある。これらのマイクロミキサーは、何れも、２種類の溶液をそれぞれマイクロチャンネル等と呼ばれる微細な給液路を通し、極めて薄い薄片状の層流として混合空間内へ供給することで、この混合空間内で二種類の溶液同士を混合及び反応させるものである。
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
遊技球が流下可能な流下遊技領域に特定遊技部材と、遊技球の入賞を許容する入賞手段とを備え、前記特定遊技部材に遊技球が転動可能な転動遊技領域を備えた遊技機であって、
前記転動遊技領域は、前記遊技機に対して横方向へ並行して延在する奥側の第１転動部と手前側の第２転動部と、
前記両転動部の両端部においてそれぞれ当該両転動部を連通させる連通路とを備え、
前記第１転動部は、その左右両部に特定転動面を備え、
前記両特定転動面は、それぞれ前記遊技機の正面から見て凹形状に湾曲するように構成されるとともに、前記第１転動部の横方向における外方側に前記遊技球を加速する加速部と、内方側に前記加速部によって加速された遊技球を減速する減速部とを備え、
前記減速部の上端部に連接され、前記入賞手段へ向けて前記遊技球を導出する導出手段を備え、
前記第２転動部は、前記遊技機の正面から見て凹形状に湾曲するように構成され、
前記第１転動部のほぼ全域が前記第２転動部より高位置となるよう前記両転動部の境界部に特定段差部が設けられ、
前記第２転動部の両端部近傍において、それぞれ当該転動部の各端部又は各端部近傍へ遊技球を案内する案内手段が設けられ、前記各端部に案内される遊技球がそれぞれ他端部へ向かって前記第２転動部に沿って転動できるよう構成し、
前記案内手段によって前記第２転動部へ案内され、前記第２転動部から前記連通路を介して前記加速部の上端部へ案内される遊技球のうち、所定転動速度以上の転動速度を有する遊技球が前記特定転動面に沿って前記減速部の上端部に到達可能となるよう構成されるとともに、
前記減速部の上端部に到達した遊技球を前記入賞手段へ向けて導出可能に構成されていることを特徴とする遊技機。
【請求項２】
遊技球が流下可能な流下遊技領域に特定遊技部材と、遊技球の入賞を許容する入賞手段とを備え、前記特定遊技部材に遊技球が転動可能な転動遊技領域を備えた遊技機であって、
前記転動遊技領域は、前記遊技機に対して横方向へ並行して延在する奥側の第１転動部と手前側の第２転動部と、
前記両転動部の両端部においてそれぞれ当該両転動部を連通させる連通路とを備え、
前記第１転動部は、その左右両部に特定転動面を備え、
前記両特定転動面は、それぞれ前記遊技機の正面から見て凹形状に湾曲するように構成されるとともに、前記第１転動部の横方向における外方側に前記遊技球を加速する加速部と、内方側に前記加速部によって加速された遊技球を減速する減速部とを備え、
前記減速部の上端部に連接され、前記入賞手段へ向けて前記遊技球を前記第２転動部側へ導出する導出手段を備え、
前記第２転動部は、前記遊技機の正面から見て凹形状に湾曲するように構成されるとともに、横方向へ延在する転動路と、当該転動路の横方向中央部の手前側において遊技球を排出可能な排出凹部とを備え、
前記第１転動部のほぼ全域が前記第２転動部より高位置となるよう前記両転動部の境界部に特定段差部が設けられ、
前記転動路の両端部近傍において、それぞれ当該転動路の各端部又は各端部近傍へ遊技球を案内する案内手段が設けられ、前記各端部に案内される遊技球がそれぞれ他端部へ向かって前記転動路に沿って転動できるよう構成し、
前記案内手段によって前記転動路へ案内され、前記転動路から前記連通路を介して前記加速部の上端部へ案内される遊技球のうち、所定転動速度以上の転動速度を有する遊技球が前記特定転動面に沿って前記減速部の上端部に到達可能となるよう構成されるとともに、
前記減速部の上端部に到達した遊技球を、前記転動路及び前記排出凹部を通過させ、前記入賞手段へ向けて導出可能に構成されていることを特徴とする遊技機。
【請求項３】
前記導出手段は、断面凹形状をなし、前記減速部の上端部に到達した遊技球が当該導出手段に落下するよう構成されていることを特徴とする請求項１又は２に記載の遊技機。
【請求項４】
前記両特定転動面は、それぞれ当該特定転動面より前記遊技球を排出可能な排出部を備えていることを特徴とする請求項１乃至３のいずれかに記載の遊技機。
【請求項５】
前記減速部の上端部と前記加速部の上端部とが同じ又はほぼ同じ高さ位置となるよう構成されていることを特徴とする請求項１乃至４のいずれかに記載の遊技機。
【請求項６】
前記減速部の上端部が、前記加速部の上端部より高い位置となるよう構成されていることを特徴とする請求項１乃至４のいずれかに記載の遊技機。
【請求項７】
前記減速部の上端部が、前記加速部の上端部より低い位置となるよう構成されていることを特徴とする請求項１乃至４のいずれかに記載の遊技機。
【請求項８】
前記加速部及び減速部の両上端部の高さ位置関係は、前記加速部の上端部に案内される遊技球が前記所定転動速度を有する場合において、当該遊技球が前記減速部の上端部に無速度又はほぼ無速度で到達するよう構成されていることを特徴とする請求項１乃至４のいずれかに記載の遊技機。
【請求項９】
前記特定遊技部材は、識別情報を変動表示可能な可変表示装置の周囲を囲むセンターフレームによって構成されていることを特徴とする請求項１乃至８のいずれかに記載の遊技機。
【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
遊技球が流下可能な流下遊技領域に特定遊技部材と、遊技球の入賞を許容する入賞手段とを備え、前記特定遊技部材に遊技球が転動可能な転動遊技領域を備えた遊技機であって、
前記転動遊技領域は、前記遊技機に対して横方向へ並行して延在する第１転動部と第２転動部と、前記両転動部の両端部においてそれぞれ当該両転動部を連通させる連通路とを備え、
前記遊技機正面から見て、前記第１転動部は奥側に設けられ、前記第２転動部は手前側に設けられ、
前記第１転動部のほぼ全域が前記第２転動部より高位置となるよう前記両転動部の境界部に特定段差部が設けられ、
前記第１転動部は、横方向略中央部に設けられた導出手段と、当該導出手段の左右両部においてそれぞれ設けられた特定転動面とを備え、
前記両特定転動面は、それぞれ前記遊技機の正面から見て凹形状に湾曲するように構成されるとともに、前記連通路側に遊技球を加速する加速部と、前記導出手段側に前記加速部によって加速された遊技球を減速する減速部とを備え、
前記導出手段は、断面凹形状をなし、前記減速部の上端部に到達した遊技球が当該導出手段に落下するよう構成されるとともに、当該遊技球を前記入賞手段に向けて前記第２転動部側へ導出可能に構成され、
前記第２転動部は、
前記遊技機の正面から見て凹形状に湾曲する転動路と、
前記転動路における前記導出手段の手前側に設けられた手前側が低い中央傾斜面と、
前記中央傾斜面の手前側において遊技球を排出可能に設けられた排出凹部と、
前記中央傾斜面と前記排出凹部との境界部において形成された段差部とを備え、
前記連通路と連設する前記第１転動部の端部が、前記連通路と連設する前記第２転動部の端部より低い位置となるよう構成されるとともに、前記第１転動部の各特定転動面において前記減速部の上端部が前記加速部の上端部より低い位置となるよう構成され、
前記第２転動部から前記連通路を介して前記加速部の上端部へ案内される遊技球のうち、所定転動速度以上の転動速度を有する遊技球が前記特定転動面に沿って前記減速部の上端部に到達可能となるよう構成され、
前記減速部の上端部に到達した遊技球が、前記導出手段に落下し、当該導出手段から排出され、前記中央傾斜面及び前記排出凹部を通って前記入賞手段に向けて排出されるよう構成されていることを特徴とする遊技機。
【請求項２】
前記各特定転動面において、遊技球を当該特定転動面より前記第２転動部へ排出可能な排出部を備え、
前記排出部は、前記特定転動面の最下端部を含む横方向所定範囲において設けられ、
前記特定段差部は、横方向に対して少なくとも前記両特定転動面のうちの一方の最下端部から他方の最下端部の範囲において設けられ、
前記各特定転動面の少なくとも最下端部が、当該最下端部と横方向同一位置における前記第２転動部の部位より高位置となるよう構成されていることを特徴とする請求項１に記載の遊技機。
【請求項３】
前記特定遊技部材は、識別情報を変動表示可能な可変表示装置の周囲を囲むセンターフレームによって構成されていることを特徴とする請求項１又は２に記載の遊技機。
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
遊技球が流下可能な遊技領域に、遊技球が転動可能な転動遊技領域を有する遊技部材を備え、
前記転動遊技領域には、左右方向へ並行して延在する手前側の第１転動部と奥側の第２転動部とが設けられるとともに、前記第１転動部及び第２転動部の左右方向における両端部の少なくとも一方において、前記第１転動部から第２転動部へと遊技球を誘導可能な補助転動部が前記両転動部に連通するように設けられ、
前記第１転動部と第２転動部との境界部の一区間には、前記補助転動部に隣接して前記両転動部を仕切る規制部が突設され、
前記規制部は、前記第１転動部に面する前壁面と、前記第２転動部に面する背壁面とを有し、
前記前壁面側における当該壁面の周縁の少なくとも一部には、少なくとも前記第１転動部を転動する遊技球が当接可能な部分において、前記補助転動部側の端部に向かって前記前壁面側から背壁面側に向かう方向へ傾斜した特定傾斜面が連設され、
前記補助転動部は、前記規制部の特定傾斜面に略対向した一側壁部を有し、
当該側壁部の壁面は、前記補助転動部に向けて転動してくる遊技球の進路を狭めていくように左右方向に対して傾斜するよう構成されていることを特徴とする遊技機。
【請求項２】
前記規制部は、略平板形状をなし、その周縁部は前記特定傾斜面が設けられていることにより先細りしていることを特徴とする請求項１に記載の遊技機。
【請求項３】
前記第１転動部において、遊技球が前記前壁面方向へ向かう動きを規制されつつ当該前壁面に沿って転動し、前記特定傾斜面が設けられている箇所においては、当該規制がなくなり当該特定傾斜面に沿って転動するよう構成されていることを特徴とする請求項１又は２に記載の遊技機。
【請求項４】
遊技球が流下可能な遊技領域に、遊技球が転動可能な転動遊技領域を有する遊技部材と、遊技球の入賞を許容する入賞手段とを備え、
前記転動遊技領域には、左右方向へ並行して延在する手前側の第１転動部と奥側の第２転動部とが設けられるとともに、
前記第１転動部及び第２転動部の左右方向における両端部の少なくとも一方において、前記第１転動部から第２転動部へと遊技球を誘導可能な少なくとも１つの補助転動部が前記両転動部に連通するように設けられ、
前記第２転動部には、前記入賞手段に向けて前記遊技球を導出可能な導出部が設けられ、
前記第１転動部と第２転動部との境界部の一区間には、前記両転動部を仕切る少なくとも１つの第１規制部及び第２規制部が突設され、
前記各規制部は、前記第１転動部に面する前壁面と、前記第２転動部に面する背壁面とをそれぞれ有し、前記両壁面の少なくとも一方における当該壁面の周縁の少なくとも一部には、少なくとも前記第１転動部又は第２転動部を転動する遊技球が当接可能な部分において、当該壁面に対して傾斜した特定傾斜面が連設され、
前記第１規制部は、少なくとも前記前壁面側に前記特定傾斜面を備えるとともに、前記補助転動部に隣接しており、前記特定傾斜面の少なくとも一部が前記補助転動部側の端部に向かって傾斜するように構成され、
前記補助転動部は、前記第１規制部の特定傾斜面に略対向した一側壁部を有し、当該側壁部の壁面は、前記補助転動部に向けて転動してくる遊技球の進路を狭めていくように左右方向に対して傾斜するよう構成され、
前記第１規制部と前記第２規制部との隙間を介して、前記第２転動部から前記第１転動部へと遊技球を導出可能に構成され、
前記第２規制部は、少なくとも前記背壁面側に前記特定傾斜面を備えるとともに、前記導出部に隣接するように設けられ、左右方向における前記導出部側と反対側の端部又は端部近傍に前記特定傾斜面が設けられていることを特徴とする遊技機。
【請求項５】
前記各規制部は、略平板形状をなし、その周縁部は前記特定傾斜面が設けられていることにより先細りしていることを特徴とする請求項４に記載の遊技機。
【請求項６】
前記第１転動部において、前記遊技球が前記前壁面方向へ向かう動きを規制されつつ当該前壁面に沿って転動し、前記特定傾斜面が設けられている箇所においては、当該規制がなくなり当該特定傾斜面に沿って転動するよう構成されていることを特徴とする請求項４又は５に記載の遊技機。
【請求項７】
前記遊技部材は、識別情報を変動表示可能な可変表示装置の周囲を囲むセンターフレームによって構成されていることを特徴とする請求項１乃至６のいずれかに記載の遊技機。
【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
始動領域を通過することで図柄が変動し、図柄が所定図柄の際に大当たりを発生させ大入賞口を開放する遊技機において、
大当たり発生時に最初の大入賞口を開放する際に、発射する遊技球が無い場合に、遊技球を貸し出すための貸出手段を設けたことを特徴とする遊技機。
【請求項２】
上皿を介して発射装置へ遊技球を供給する通常の供給路を備え、始動領域を通過することで図柄が変動し、図柄が所定図柄の際に大当たりを発生させ大入賞口を開放する遊技機において、
上皿パネル裏面に設けられ、予め保持しておいた所定数の遊技球を発射装置へ貸し出すとともに、貸し出し後に賞球の払い出しがあった際に前記所定数の遊技球を回収する貸出用の供給路と、
前記通常の供給路と前記貸出用の供給路とを切り替える切替部材とを備え、
大当たり発生時に最初の大入賞口を開放する際に、発射する遊技球が前記通常の供給路に無い場合に、前記切替部材により切り替えて、前記貸出用の供給路に予め保持しておいた所定数の遊技球を前記発射装置へ供給することを特徴とする遊技機。
【請求項３】
前記通常の供給路は、整流器から成り、
前記貸出用の供給路は、上皿賞球排出口より奥から前記上皿パネル裏面に沿って設けられ、
前記遊技球は、前記切替部材によって前記整流器内へ導かれることを特徴とする請求項２の遊技機。
【請求項４】
貸し出し後に賞球の払い出しがなかった際に前記所定数の遊技球を前記貸出用の供給路へ供給するためのリセットボタンを設けたことを特徴とする請求項２又は請求項３の遊技機。
【請求項５】
貸し出し後に賞球の払い出しがあった場合における前記所定数の遊技球の回収を、前記大入賞口の開放時間の経過後、賞球払出しに掛かる時間が経過してから行うことを特徴とする請求項１〜請求項４のいずれか１の遊技機。
【請求項６】
貸し出し後に払い出された賞球が、先ず、前記貸出用の供給路へ流れ込むことを特徴とする請求項２〜請求項５の遊技機。
【手続補正２】
【補正対象書類名】明細書
【補正対象項目名】００１０
【補正方法】変更
【補正の内容】
【００１０】
請求項３の発明では、請求項２において、前記通常の供給路は、整流器から成り、
前記貸出用の供給路は、上皿賞球排出口より奥から前記上皿パネル裏面に沿って設けられ、
前記遊技球は、前記切替部材によって前記整流器内へ導かれることを技術的特徴とする。
【手続補正３】
【補正対象書類名】明細書
【補正対象項目名】００１１
【補正方法】変更
【補正の内容】
【００１１】
請求項３では、貸出用の供給路を上皿パネル裏面の整流器までの間に設けたので、遊技球が無い場合の貸出用の遊技球を十数個用意できる。
また、請求項４では、貸し出し後に賞球の払い出しがなかった際に前記所定数の遊技球を前記貸出用の供給路へ供給するためのリセットボタンを設けた。このため、大当たりが発生しても万一利益を享有することができなかった場合に、次の遊技者の遊技球から貸し出し球を回収することがない。
請求項５では、貸し出し後に賞球の払い出しがあった場合における前記所定数の遊技球の回収を、前記大入賞口の開放時間の経過後、賞球払出しに掛かる時間が経過してから行う。このため、大当たりの賞球から貸し出し球を回収することができる。
請求項６では、貸し出し後に払い出された賞球が、先ず、貸出用の供給路へ流れ込む。このため、切替部材を切り換えた時点で、貸し出し球を回収することができる。
【手続補正４】
【補正対象書類名】明細書
【補正対象項目名】００３０
【補正方法】変更
【補正の内容】
【００３０】
そして、大入賞口５１の開放中に遊技球が特定領域を通過しなかった場合、もしくは前記最高の１６回の開放を繰り返した際には、大入賞口の開放を終了する。本実施形態では、大入賞口５１に数個の入賞があれば、入賞した遊技球の内のいずれかが特定領域を通過するように設定されている。従って、大入賞口５１が最初に開放された際に、少なくとも１球の入賞があり、かつ、大入賞口の開放中に遊技球の発射が途絶えない限り、ほぼ確実に上限の１６回まで大入賞口の開放が繰り返されるように設定されている。
【手続補正５】
【補正対象書類名】明細書
【補正対象項目名】００３７
【補正方法】変更
【補正の内容】
【００３７】
そして、所定時間（例えば、大入賞口の開放時間である２９．５秒＋賞球払い出しに掛かる時間５秒＝３４．５秒）が経過すると（Ｓ１８：Ｙｅｓ）、整流器７０の球検出器７４で遊技球が検出できるか否を判断し（Ｓ２０）、検出できた際、即ち、貸し出した１７球によって大入賞口への入賞が有り、賞球の払い出しを受けている際には（Ｓ２０：Ｙｅｓ）、図４（Ａ）に示すように、ソレノイド８２を動作させ通路切替部材８４を下位置へ移動させ（Ｓ２４）、裏面通路８０側からの遊技球の整流器７０内への流入を阻止し、上皿２０側から通孔７２を介して送られる遊技球を整流器７０内へ導入させる。ここで、図３に示すように、大入賞口への入賞に対する賞球が払い出される際には、上皿賞球排出口１９側から先ず、裏面通路８０側へ遊技球が流れ込んでいるため、通路切替部材８４を下位置へ移動させ、裏面通路８０側からの遊技球を阻止させた時点で、貸し出し数（１７個）と同数の遊技球を回収することができる。
【手続補正６】
【補正対象書類名】明細書
【補正対象項目名】００４１
【補正方法】変更
【補正の内容】
【００４１】
図５（Ａ）は、第２実施形態の整流器７０を示している。図５（Ｂ）、図５（Ｃ）及び図５（Ｄ）は、図５（Ａ）に示す整流器７０内の遊技球の通路７８を上側から見た図である。ここで、図５（Ｂ）は、通常の状態を示し、図５（Ｃ）は、遊技球が無い場合に、貸し出しを行っている状態を示し、図５（Ｄ）は、遊技球が有る場合に、貸し出しを行っている状態を示している。通路７８は、仕切板７８ｃで通常の供給路７８Ａと貸し出し用の供給路７８Ｂとに区画されている。そして、ソレノイド７６により駆動される切替部材７６ｂにより、通常の供給路７８Ａと貸し出し用の供給路７８Ｂとに遊技球の通路が切り替えられる。即ち、図６（Ａ）に示すように、ソレノイド７６のロッド７６ａが押し出されている状態で、仕切板７８ｃと、切替部材７６ｂとが直線状になり、図５（Ｂ）に示すように該切替部材７６ｂにより、貸し出し用の供給路７８Ｂからの遊技球の供給が阻止され、通常の供給路７８Ａからの遊技球が発射装置（図示せず）側へ供給される。一方、大入賞口が開放された際に、図６（Ｂ）に示すように、ソレノイド７６がロッド７６ａを引き込み、切替部材７６ｂが仕切板７８ｃに対して直角になる。これにより、遊技球が無い場合には、図５（Ｃ）に示すように、貸し出し用の供給路７８Ｂからの例えば４個の遊技球が発射装置７８Ｂへ供給される。一方、遊技球が有る場合には、図５（Ｄ）に示すように、通常の供給路７８Ａ側に２個の遊技球が滞留し、貸し出し用の供給路７８Ｂ側から４個の遊技球が供給されるため、暫定的に２個の遊技球が貸し出される。
【手続補正書】
【提出日】平成17年1月26日(2005.1.26)
【手続補正１】
【補正対象書類名】明細書
【補正対象項目名】請求項２
【補正方法】変更
【補正の内容】
【請求項２】
所定の縫製パターンに従って縫製を行うとともに、縫製用のモータとは異なる糸切りモータにより駆動される糸切り機構を備え、前記縫製後に、前記糸切り機構を駆動することにより、糸切りを行う自動縫いミシンにおいて、
前記糸切りモータの駆動力を伝達しない空走部と、前記駆動力を糸切り機構に対応した駆動力に変換する糸切り作動部とからなる摺動面を備え、前記糸切りモータに連結される糸切りカムと、
前記糸切り作動部を摺動して前記糸切り機構に駆動力を伝達する糸切り連結部材とを有し、
糸切りに際して、前記糸切り連結部材が前記空走部を摺動してから、前記糸切り作動部を摺動して糸切りが行われるように、糸切りが可能なタイミングより前に前記糸切りモータを助走駆動させることを特徴とする自動縫いミシン。
【手続補正２】
【補正対象書類名】明細書
【補正対象項目名】０００９
【補正方法】変更
【補正の内容】
【０００９】
請求項２に記載の発明は、例えば図１〜図３に示すように、所定の縫製パターンに従って縫製を行うとともに、縫製用のモータとは異なる糸切りモータ（パルスモータ６０）により駆動される糸切り機構（４０）を備え、前記縫製後に、前記糸切り機構を駆動することにより、糸切りを行う自動縫いミシンにおいて、前記糸切りモータの駆動力を伝達しない空走部（円弧部Ｘ１）と、前記駆動力を糸切り機構に対応した駆動力に変換する糸切り作動部（変曲部Ｘ２）とからなる摺動面（カム溝６３ａ）を備え、前記糸切りモータに連結される糸切りカム（糸切りカム部６３）と、前記糸切り作動部を摺動して前記糸切り機構に駆動力を伝達する糸切り連結部材（糸切りリンク４１）とを有し、糸切りに際して、前記糸切り連結部材が前記空走部を摺動してから、前記糸切り作動部を摺動して糸切りが行われるように、糸切りが可能なタイミングより前に前記糸切りモータを助走駆動させることを特徴とする。
【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】
遊技台と、データ処理部と、表示部と、ポイント管理部とを備え、上記データ処理部は、ユーザー特定情報を読み取る機能と、ユーザー特定情報を読み取る機能と、遊技台の遊技状況を計測する機能と、予め設定された目標ポイント獲得までの進捗度を演算する機能と、その演算結果を表示部に表示させる機能と、上記遊技状況をポイント数に換算する機能とを備え、上記ポイント管理部は、上記データ処理部で演算したポイント数を上記ユーザー特定情報に関連付けて管理する機能を備えたポイント表示システム。
【請求項２】
上記目標ポイントが、ポイント付与の１単位である請求項１に記載のポイント表示システム。
【請求項３】
データ処理部および表示部を有する台端末と、ポイント管理部を有する管理コンピュータとを備え、上記台端末と上記管理コンピュータとを接続した請求項１または２に記載のポイント表示システム。
【請求項４】
表示部には、表や文字の背景に、経時的に変化するデータを表すグラフを面で表示する請求項１〜３のいずれか１に記載のポイント表示システム。
【請求項５】
台端末に、目標ポイントを設定する目標設定部を設けた請求項１〜４のいずれか１に記載のポイント表示システム。
【手続補正２】
【補正対象書類名】明細書
【補正対象項目名】０００９
【補正方法】変更
【補正の内容】
【０００９】
第２の発明は、上記目標ポイントが、ポイント付与の１単位である点に特徴を有する。
第３の発明は、上記データ処理部および上記表示部を有する台端末と、ポイント管理部を有する管理コンピュータとを備え、上記台端末と上記管理コンピュータとを接続した点に特徴を有する。
第４の発明は、表示部には、表や文字の背景に、経時的に変化するデータを表すグラフを面で表示する点に特徴を有する。
第５の発明は、台端末に、目標ポイントを設定する目標設定部を設けた点に特徴を有する。
【手続補正３】
【補正対象書類名】明細書
【補正対象項目名】００３０
【補正方法】変更
【補正の内容】
【００３０】
【発明の効果】
第１〜第５の発明によれば、ユーザーは、遊技中に、自分のポイントの獲得状況を、目標に対する進捗度として見ることができる。そのため、ユーザーは、ポイントを獲得する過程までも楽しむことができる。このように、ポイント獲得に対する楽しみが増えれば、遊技場側としては、遊技時間や来店回数が増加することを期待できる。
特に、第２の発明は、目標ポイントをポイント付与の１単位とするので、目標が近くなり、この目標を達成するために、例えば、遊技時間を延長する可能性が高くなる。
【手続補正４】
【補正対象書類名】明細書
【補正対象項目名】００３１
【補正方法】変更
【補正の内容】
【００３１】
第３の発明によれば、各台端末に、データ処理機能を分担させることによって、処理速度をあげて、画像表示速度を上げることができる。
第４の発明によれば、表や文字と重ねて、グラフを表示でき、どちらも、見やすくできる。従って、一画面に、表示される情報量を増やすことができる。特に、遊技中のユーザーは、見たいデータを選択するために、ディスプレイを操作する必要がないので、便利である。
第５の発明によれば、目標ポイントを自由に設定できるので、効果的な目標設定をして、ユーザーのポイント獲得への意欲をかき立てることができる。特に、ユーザー自身が目標ポイントを設定すれば、さらに、目標達成に対する興味が高まる。